(57)【要約】  本発明は、多層記録担体、とりわけ二層ディスク上に、情報を記録する方法および装置に関するものである。層ジャンプ後のユーザー情報を記録するより前に、制御情報領域（３１１、３１２、３２１、３２２）内に制御情報を記録することにより、ユーザー情報を記憶するための記録担体の記憶容量を低減させずに保持したまま、すべてのユーザー情報の十分な信頼性での読出しおよび記録が保障される。
2007508647.tif 000002
【特許請求の範囲】
【請求項１】
少なくとも２つの情報層を含み、該情報層の各々が内側制御情報領域とユーザー情報領域と外側制御情報領域とを含んでいる多層光記録担体上に、情報を記録する方法であって、
前記少なくとも２つの情報層のうち第１の情報層の前記ユーザー情報領域に、ユーザー情報を表す情報パターンを書き込む第１の記録工程と、
前記第１の記録工程の後に、前記少なくとも２つの情報層のうち第２の情報層の前記ユーザー情報領域に、ユーザー情報を表す情報パターンを書き込む第２の記録工程と、
前記第２の記録工程の後に、前記第１の情報層と前記第２の情報層との前記内側制御情報領域および前記外側制御情報領域に、制御情報を表す情報パターンを書き込む仕上げ工程とを含み、
前記第２の記録工程より前に、前記第２の情報層の前記内側制御情報領域と前記外側制御情報領域との少なくとも一方に、制御情報を表す情報パターンを書き込む開始工程をさらに含むことを特徴とする方法。
【請求項２】
前記開始工程において、前記制御情報を表す情報パターンが、前記第２の情報層の前記外側制御情報領域に書き込まれることを特徴とする請求項１記載の方法。
【請求項３】
前記開始工程が、前記第１の記録工程より前に配されていることを特徴とする請求項１または２記載の方法。
【請求項４】
前記開始工程において書き込まれる前記制御情報を表す情報パターンの量が、情報の１つのＥＣＣブロック分に対応する量であることを特徴とする請求項１から３いずれか１項記載の方法。
【請求項５】
少なくとも２つの情報層を含み、該情報層の各々が内側制御情報領域とユーザー情報領域と外側制御情報領域とを含んでいる多層光記録担体上に、情報を記録する記録装置であって、
情報を表す情報パターンを前記情報層に書き込む書込手段と、
前記少なくとも２つの情報層のうち第１の情報層または第２の情報層のいずれかに情報パターンを書き込むように、前記書込手段を制御する位置決め手段と、
前記書込手段および前記位置決め手段を制御する制御手段とを含み、
該制御手段は、
前記少なくとも２つの情報層のうち前記第１の情報層の前記ユーザー情報領域に、ユーザー情報を表す情報パターンを書き込み、
その後、前記少なくとも２つの情報層のうち前記第２の情報層の前記ユーザー情報領域に、ユーザー情報を表す情報パターンを書き込み、
その後、前記第１の情報層と前記第２の情報層との前記内側制御情報領域および前記外側制御情報領域に、制御情報を表す情報パターンを書き込むように、前記書込手段および前記位置決め手段を制御するものであり、
前記制御手段はさらに、前記少なくとも２つの情報層のうち前記第２の情報層の前記ユーザー情報領域に前記ユーザー情報を表す情報パターンを書き込むより前に、前記第２の情報層の前記内側制御情報領域と前記外側制御情報領域との少なくとも一方に、制御情報を表す情報パターンを書き込むようにされていることを特徴とする記録装置。
【発明の詳細な説明】
【技術分野】
【０００１】
本発明は、広くは、少なくとも２つの情報層を含み、それら情報層の各々が内側制御情報領域とユーザー情報領域と外側制御情報領域とを含んでいる多層光記録担体上に、情報を記録する方法であって、上記の少なくとも２つの情報層のうち第１の情報層のユーザー情報領域に、ユーザー情報を表す情報パターンを書き込む第１の記録工程と、その後、上記の少なくとも２つの情報層のうち第２の情報層のユーザー情報領域に、ユーザー情報を表す情報パターンを書き込む第２の記録工程と、その後、上記の第１の情報層と第２の情報層との内側制御情報領域および外側制御情報領域に、制御情報を表す情報パターンを書き込む仕上げ工程とを含む方法に関するものである。
【０００２】
本発明はまた、少なくとも２つの情報層を含み、それら情報層の各々が内側制御情報領域とユーザー情報領域と外側制御情報領域とを含んでいる多層光記録担体上に、情報を記録する記録装置であって、情報を表す情報パターンを情報層に書き込む書込手段と、上記の少なくとも２つの情報層のうち第１の情報層または第２の情報層のいずれかに情報パターンを書き込むように、上記の書込手段を制御する位置決め手段と、上記の書込手段および位置決め手段を制御する制御手段とを含み、その制御手段が、上記の少なくとも２つの情報層のうち第１の情報層のユーザー情報領域に、ユーザー情報を表す情報パターンを書き込み、その後、上記の少なくとも２つの情報層のうち第２の情報層のユーザー情報領域に、ユーザー情報を表す情報パターンを書き込み、その後、上記の第１の情報層と第２の情報層との内側制御情報領域および外側制御情報領域に、制御情報を表す情報パターンを書き込むように、上記の書込手段および位置決め手段を制御するものである、記録装置にも関するものである。より具体的には、本発明は、記録可能型二層ＤＶＤ（デジタル・バーサタイル・ディスク）タイプのディスク上に、情報を記録する方法および記録装置に関するものである。
【背景技術】
【０００３】
予め記録がなされた二層ＤＶＤ−ＲＯＭディスクは、よく知られている。かかるディスクは、薄いスペース層で隔てられた、２つの情報層を含んでいる。第１の情報層（一般に層Ｌ０と呼ばれる）は、部分透過性の層であり、その第１の層を介して第２の層（一般に層Ｌ１と呼ばれる）の読出しがなされることを可能としている。スペース層の厚さは、結像光学系の焦点深度よりも大きく、そのため同一の側からディスクに入射する放射ビームによって、両方の情報層の読出しが行われることが可能とされている。個々の情報層には、それら個々の情報層のそれぞれに放射ビームを合焦させることによりアクセスすることができる（たとえば焦点アクチュエータにより）。既知の二層ＤＶＤ−ＲＯＭディスクは、８．５ギガバイトの記憶容量を有する。
【０００４】
大量の情報を記録することができるようにするために（たとえばビデオ情報の記録等のため）、記録可能型のＤＶＤタイプのディスク（４．７ギガバイトの記憶が可能なＤＶＤ＋Ｒ）が導入された。かかる記録可能型ディスクは、記録可能な情報層を含んでおり、この記録可能な情報層に放射ビームを照射することにより、情報パターンの形態で情報を記録することができる。記録される情報に従って放射ビームを変調することにより、情報パターンを形成する光検出可能なマークが、情報層内に形成される。情報を記録することのできる情報層の面は、一般的に、３つの部分に分割されている。それら３つの部分とは、内側制御情報領域（リードイン領域とも呼ばれる）、ユーザー情報領域（データ領域とも呼ばれる）、および外側制御情報領域（リードアウト領域とも呼ばれる）である。
【０００５】
８．５ギガバイトの情報の記憶が可能な記録可能型二層ＤＶＤタイプのディスクは、近年導入された。これらのディスクは、二層ＤＶＤ−ＲＯＭディスクと同量の情報の記憶を許容する。かかる記録可能型二層ディスクは、２つの記録可能な情報層を含んでいる。各情報層に放射ビームを合焦させ、記録される情報に従ってその放射ビームを変調することにより、各情報層に情報を記録することができる。大量の情報（たとえばビデオ）を記録する際には、情報は、最初の論理ブロックアドレス（Ｌｏｇｉｃａｌ  Ｂｌｏｃｋ  Ａｄｄｒｅｓｓ）から開始し最後の論理ブロックアドレスまで続く、１つの連続したシーケンスの形態で記録される。しかしながら、この論理アドレススペース（Ｌｏｇｉｃａｌ  Ａｄｄｒｅｓｓｉｎｇ  Ｓｐａｃｅ）は、一般に、少なくとも２つの情報層に跨って物理的に分断されている。すなわち、最初の論理ブロックアドレスは、物理的には第１の情報層（層Ｌ０）のユーザー情報領域内に配されており、最後の論理ブロックアドレスは、物理的には第２の情報層（層Ｌ１）のユーザー情報領域内に配されている。したがって、情報記録時には、第１の情報層から第２の情報層へと移る際に、放射ビームの集光状態が変更されなくてはならない。このいわゆる層ジャンプは、記録された情報を読み出す際にも必要とされる。
【０００６】
特定の情報層上の領域から、情報パターンのブロックを十分な信頼性で読み出すことができるようにするためには、そのブロックに先行して、やはり情報パターンを含む同情報層上の領域が存在することが必要とされる。この先行領域は、システムの光学系および電気系を安定させるために必要なものである。異なる層上のユーザー情報領域内に記録されたすべての情報を十分な信頼性で読み出すことができるよう保障するために、すべてのユーザー情報をユーザー情報領域内に記録した後に、仕上げ工程が実行される。この仕上げ工程では、ユーザー情報領域内のすべての領域に対し、情報を含む先行領域が存在することとなるよう、制御情報を表す情報パターンが、少なくとも上記の第１および第２の情報層の、内側制御情報領域および外側制御情報領域に書き込まれる。一般には、制御情報領域のほとんどは、たとえばオールゼロのようなダミーデータで満たされることとなる。しかしながら一般には同時に、制御情報領域（とりわけリードイン領域）の一部は、ディスクを識別する制御情報（たとえば、物理フォーマット情報や、ディスク製造情報）で満たされる。
【発明の開示】
【発明が解決しようとする課題】
【０００７】
しかしながら、ディスクの仕上げが行われるまですべてのユーザー情報を読み出せるわけでないことは、問題である。とりわけ、ユーザー情報の記録中において、層ジャンプ直後に記録されたユーザー情報を十分な信頼性で再読出しできないことは問題である。
【０００８】
そこで、本発明の１つの目的は、記録担体の仕上げを行う必要なしに、層ジャンプ直後に記録されたユーザー情報を十分な信頼性で再読出しすることを可能とするような、多層光記録担体上に情報を記録する方法を提供することである。
【課題を解決するための手段】
【０００９】
本発明によれば、上記の目的は、冒頭の段落で述べたような方法が、上記の第２の記録工程より前に、第２の情報層の内側制御情報領域と外側制御情報領域との少なくとも一方に、制御情報を表す情報パターンを書き込む開始工程をさらに含むという特徴を有することにより達成される。
【００１０】
本発明によれば、たとえばオールゼロからなるダミーデータのブロックといったような制御情報が、ユーザー情報領域内の、層ジャンプ後にユーザー情報が記録される領域に隣接する、制御情報領域に記録される。こうすることにより、層ジャンプ後に記録されるユーザー情報を含む領域に先行する情報パターンを含む先行領域が、常に存在することとなる。さらに、本発明によれば、制御情報が制御情報領域内に記録されることにより、ユーザー情報を記憶するための記録担体の実効記憶容量を低減するような、ユーザー情報領域内へのダミーデータの記録を何ら行わずに済むという追加の利点がある。
【００１１】
一般に、多層ディスクに記録を行う際には、２つの記録原理が使用され得る。すなわち、１）各情報層に対し同一方向に記録がなされる、平行トラックパス（Ｐａｒａｌｌｅｌ  Ｔｒａｃｋ  Ｐａｔｈ；ＰＴＰ）の原理（たとえば、各層に対し、ディスクの内径側から外径側へと記録がなされる）、または２）１つの情報層に対し、その隣接情報層と反対の方向に記録がなされる、逆行トラックパス（Ｏｐｐｏｓｉｔｅ  Ｔｒａｃｋ  Ｐａｔｈ；ＯＴＰ）の原理が使用され得る。本発明に係る方法の１つの実施形態によれば、制御情報を表す情報パターンは、ＯＴＰ型記録担体の、第２の情報層の外側制御情報領域内に書き込まれる。かかるＯＴＰ型記録担体では、外側制御情報領域は中間領域（Ｍｉｄｄｌｅ  Ｚｏｎｅ）と呼ばれることが多い。この場合、放射ビームの半径方向の移動が必要ないので、層ジャンプは比較的高速となる。第１の情報層から第２の情報層への、放射ビームの集光状態の変更のみが必要とされる。
【００１２】
本発明に係る方法の１つの実施形態では、上記の開始工程が、第１の記録工程より前に配される。開始工程は、第２の情報層におけるユーザー情報の最初のブロックをユーザー情報領域内に書き込むより前の、任意の時に実行すればよいが、第２の情報層の制御情報領域の少なくとも一方に制御情報を表す情報パターンを書き込む開始工程が、全体として一切のユーザー情報が書き込まれるより前に実行されると有利である。これは、記録担体の情報層上にユーザー情報を連続して書き込むことができるようになり、したがって書込過程が、制御情報を書き込む開始工程によっては中断されず、層ジャンプ自体のみによって中断されるようになるためである。このことは、記録されるユーザー情報が、たとえばビデオデータ等の、中断のない連続したストリームである場合には、特に有利である。
【００１３】
本発明に係る方法の１つの実施形態によれば、最小限の量の制御情報（たとえばオールゼロからなるダミーデータ）が、開始工程において書き込まれる。こうすることにより、開始工程が必要とする時間は最小限の時間となる。一般に、この最小限の量は、制御情報の１つのＥＣＣ（Ｅｒｒｏｒ  Ｃｏｒｒｅｃｔｉｏｎ  Ｃｏｄｅｄ；エラー訂正符号化）ブロック分に対応する。ＤＶＤタイプのディスクでは、１つのＥＣＣブロックは、１８２バイトの行の２０８行分を保持している。ＥＣＣブロックの形成手法は、たとえばＤＶＤ＋Ｒ規格「ＤＶＤ＋Ｒ  ４．７Ｇｂｙｔｅｓ，Ｂａｓｉｃ  Ｆｏｒｍａｔ  Ｓｐｅｃｉｆｉｃａｔｉｏｎ，ｖｅｒｓｉｏｎ  １．１１（ＤＶＤ＋Ｒ  ４．７ギガバイト、ベーシックフォーマットの仕様、バージョン１．１１）」のセクション１３．３に、より詳細に記載されている。
【００１４】
本発明の別の１つの目的は、上記の本発明に係る方法を使用する記録装置を提供することである。
【００１５】
本発明によれば、この目的は、冒頭の段落で述べたような装置において、制御手段が、上記の少なくとも２つの情報層のうち第２の情報層のユーザー情報領域にユーザー情報を表す情報パターンを書き込むより前に、第２の情報層の内側制御情報領域と外側制御情報領域との少なくとも一方に、制御情報を表す情報パターンを書き込むようにされるという特徴を有することにより達成される。
【発明を実施するための最良の形態】
【００１６】
本発明の上記およびその他の目的、特徴および利点は、図面を参照しながら以下に説明する、本発明の実施形態のより具体的な説明により明らかとされる。
【００１７】
図１は、多層記録担体の、第１の情報層Ｌ０および第２の情報層Ｌ１を示している。これらの情報層は、層Ｌ１よりも層Ｌ０に近い方の側から記録担体に入射する、放射ビーム１１による照射を受ける。放射ビームは、位置決め手段１２により制御される。この位置決め手段１２は、第１の情報層Ｌ０上または第２の情報層Ｌ１上に放射ビームが合焦させられるようになし（たとえば焦点アクチュエータにより）、また、情報層に平行な半径方向Ｒに放射ビームが移動させられるようになすことにより、記録がなされるべき特定の領域上に放射ビームの焦点を位置決めするものである。位置決め手段１２は、制御手段（図示せず）により制御されている。それらの制御手段は、放射ビームの変調も制御し、それにより、記録が行われている領域中にマークまたはスペースを形成する。
【００１８】
図２は、たとえば二層ＤＶＤディスクのような二層記録担体の、論理アドレススペース２０の模式図である。最初の論理ブロックアドレス２１は、論理アドレススペースの最初に配されているものであり、最後の論理ブロックアドレス２９は、論理アドレススペースの最後に配されているものである。本発明によれば、２つの情報層のユーザー情報領域３０１、３０２に記録されたユーザー情報には、ある一続きの範囲の論理ブロックアドレスを介してアクセスすることができる。これらブロックアドレスは、物理的には２つの情報層Ｌ０およびＬ１に跨って配されているが、このことは記録システムに対してはトランスペアレントである。これは、層ジャンプが生じた論理ブロックアドレス２５（すなわち、論理ブロックアドレス２５は、物理的には第２の情報層Ｌ１上に配されており、その前の論理ブロックアドレスは、物理的には第１の情報層Ｌ０上に配されている）直後の論理アドレススペース２０に、制御情報が存在しないためである。
【００１９】
図３Ａから３Ｄは、本発明に係る方法の第１の実施形態の各工程を示している。図３Ａには、未記録の記録担体の、２つの情報層Ｌ０およびＬ１が示されている。各情報層は、ディスクの内径側に配された内側制御情報領域３１１、３２１と、ユーザー情報を記録するためのユーザー情報領域３０１、３０２と、ディスクの外径側に配された外側制御情報領域３１２、３２２とを含んでいる。外側制御情報領域は、中間領域と呼ばれることが多い。二層ディスク上では、第１の情報層上の内側制御情報領域３１１はリードイン領域と呼ばれることが多く、一方、第２の情報層上の内側制御情報領域３２１はリードアウト領域と呼ばれることが多い。ユーザー情報領域３０１、３０２は、データ領域と呼ばれることが多い。
【００２０】
図３Ｂには、第１の情報層Ｌ０のユーザー情報領域３０１内に、ユーザー情報を表す情報パターンが書き込まれた後の、記録担体が示されている。この記録済みのユーザー情報は、論理アドレススペース２０の、最初の論理ブロックアドレス２１から、層ジャンプが生じる論理ブロックアドレス２５の直前の論理ブロックアドレスまでに亘る部分に対応する。図３Ｃには、層ジャンプ３００が生じ、第２の情報層Ｌ１のユーザー情報領域３０２内に、ユーザー情報を表す情報パターンが書き込まれた後の、記録担体が示されている。情報層Ｌ１に記録されたユーザー情報は、論理アドレススペース２０の、層ジャンプが生じた論理ブロックアドレス２５から、最後の論理ブロックアドレス２９までに亘る部分に対応する。ここで、例として、第２の情報層Ｌ１におけるユーザー情報領域３０２の一部のみに、ユーザー情報が記録されている点に留意されたい。しかしながら、この第２の情報層のユーザー情報領域３０２には、いかなる量のユーザー情報が記録されてもよい。
【００２１】
第２の情報層Ｌ１に記録されるすべてのユーザー情報、とりわけ層ジャンプ３００直後にユーザー情報領域３０２に記録されたユーザー情報に、十分な信頼性でアクセスできるようにするために、オールゼロを表すある量の制御情報パターン３３３が、ユーザー情報領域３０２に直接隣接する、第２の情報層Ｌ１の外側制御情報領域３２２（すなわち中間領域）内に記録される。ここで、上記に代えて、オールゼロ以外の値を表すダミーデータが記録されてもよい点に留意されたい。好ましくは、制御情報パターン３３３の量は、制御情報の１つのＥＣＣブロック分に対応する。これは、ユーザー情報領域３０２内のユーザー情報の隣接ブロックを十分な信頼性で読み出すことを可能とするために、外側制御情報領域３２２内に記録されるべき制御情報の最小限の量である。
【００２２】
ここで、制御情報パターン３３３は、ＯＴＰ型の二層ディスクが用いられている場合には、外側制御情報領域３２２内に記録される点に留意されたい。しかしながら、ＰＴＰ型のディスクが用いられる場合には、層ジャンプ後のユーザー情報の最初のブロックは、第２の情報層Ｌ１上の内側制御情報領域３２１に隣接した部分のユーザー情報領域内に記録される。したがって、制御情報パターン３３３は、層ジャンプ直後に記録されるユーザー情報のブロックに隣接する、内側制御情報領域３２１内に記録されるべきである。
【００２３】
すべてのユーザー情報が記録担体上に書き込まれた後、記録担体に仕上げが施される。この仕上げ工程では、すべての制御情報領域と、該当すればユーザー情報領域のユーザー情報が記録されていない部分とに、図３Ｄに示すように制御情報が記録される。
【００２４】
図３Ａから３Ｄでは、制御情報パターン３３３を書き込む開始工程が、第１の情報層Ｌ０にユーザー情報を書き込む第１の記録工程後、第２の情報層Ｌ１にユーザー情報を書き込む第２の記録工程前に行われるような、本発明に係る方法の１つの実施形態を図解した。１つの変更実施形態が、図４に示されている。この変更実施形態では、制御情報パターン３３３を書き込む開始工程は、第１の情報層Ｌ０にユーザー情報を書き込む第１の記録工程前であって、かつ第２の情報層Ｌ１にユーザー情報を書き込む第２の記録工程前に行われる（すなわち、記録担体の開始処理が、一切のユーザー情報が記録される前に行われる）。この形態では、ユーザー情報の記録過程を中断するような、層ジャンプ直後の制御情報パターン３３３の記録を行う必要がないので、第１の情報層上へのユーザー情報の記録から、第２の情報層上へのユーザー情報の記録への、より円滑な移行が可能とされる。
【図面の簡単な説明】
【００２５】
【図１】集光させられた放射ビームによる照射を受けている、多層記録担体の２つの情報層を示した模式図
【図２】二層記録担体の論理アドレススペースを示した図
【図３Ａ】本発明の第１の実施形態に係る、多層記録担体上に情報を記録する方法の各工程を示した図
【図３Ｂ】本発明の第１の実施形態に係る、多層記録担体上に情報を記録する方法の各工程を示した図
【図３Ｃ】本発明の第１の実施形態に係る、多層記録担体上に情報を記録する方法の各工程を示した図
【図３Ｄ】本発明の第１の実施形態に係る、多層記録担体上に情報を記録する方法の各工程を示した図
【図４】本発明の第２の実施形態に係る、多層記録担体上に情報を記録する方法の一工程を示した図
【図１】
2007508647.tif 000003
【図２】
2007508647.tif 000004
【図３Ａ】
2007508647.tif 000005
【図３Ｂ】
2007508647.tif 000006
【図３Ｃ】
2007508647.tif 000007
【図３Ｄ】
2007508647.tif 000008
【図４】
2007508647.tif 000009
【国際調査報告】
2007508647.tif 000010
2007508647.tif 000011
2007508647.tif 000012